(57)【特許請求の範囲】
【請求項１】
被検体に光束を照射する光源と、前記被検体への前記光束の照射に基づいて出力される信号を検出する検出器と、を有する被検体情報取得装置であって、
前記光源からの光束に含まれる互いに異なる一方と他方の偏光成分のうちの前記一方の偏光成分を透過させ、
前記被検体への前記光源からの前記光束の照射によって前記被検体から外部に放出される光束の前記一方の偏光成分と異なる前記他方の偏光成分を反射する反射型偏光素子を備え、
前記反射型偏光素子は、前記他方の偏光成分を反射して前記被検体を再照射する前記被検体の表面における前記光束の照射領域に対向する位置で、
前記照射領域を覆うように配置されていることを特徴とする被検体情報取得装置。
【請求項２】
前記反射型偏光素子は、前記照射領域と同等若しくはそれ以上の大きさとされていることを特徴とする請求項１に記載の被検体情報取得装置。
【請求項３】
前記光源による光束が、前記被検体の表面に対して略垂直に照射されることを特徴とする請求項１または請求項２に記載の被検体情報取得装置。
【請求項４】
前記反射型偏光素子と被検体との間にλ／４波長板が配置されていることを特徴とする請求項１から３のいずれか１項に記載の被検体情報取得装置。
【請求項５】
前記反射型偏光素子は、前記被検体の表面に接触して配置されていることを特徴とする請求項１から４のいずれか１項に記載の被検体情報取得装置。
【請求項６】
前記検出器が前記信号としての音響波を検出する音響波検出器で構成されると共に、前記反射型偏光素子が音響波を透過する部材で構成されており、該反射型偏光素子が前記音響波検出器と前記照射領域の間に配置されていることを特徴とする請求項１から５のいずれか１項に記載の被検体情報取得装置。
【請求項７】
前記光源からの光束が、前記被検体の表面に照射される光束の経路を遮ることがない前記反射型偏光素子の近傍に、反射部材が配置されていることを特徴とする請求項１から６のいずれか１項に記載の被検体情報取得装置。
【請求項８】
前記反射部材が、反射鏡で構成されていることを特徴とする請求項７に記載の被検体情報取得装置。
【請求項９】
前記反射部材は、前記光源と前記反射型偏光素子との間に設けられ、
前記反射部材の中央部に前記光束が通過する穴が形成されていることを特徴とする請求項７または請求項８に記載の被検体情報取得装置。
【請求項１０】
前記反射型偏光素子と接して音響整合部材が配置されていることを特徴とする請求項７に記載の被検体情報取得装置。
【発明の詳細な説明】
【技術分野】
【０００１】  本発明は、光を利用した被検体情報取得装置に関し、特に被検体内における光拡散により被検体外部に放出された光束を被検体に再照射し光エネルギーの利用効率を高める技術に関するものである。
【背景技術】
【０００２】
生体に対して非侵襲、且つ透過率の高い近赤外光を用いて、生体内の情報を可視化するための研究開発が進められている。
生体構成要素である、水・脂肪・血管中のヘモグロビンなどは、近赤外の波長帯で特有のスペクトルを有する。
そのため、これらの構成要素に起因する吸収係数の空間分布を可視化し生体内の機能情報を取得する研究が注目を集めている。
【０００３】
生体内の光吸収検出手法には、生体内を透過した光束を直接計測する光拡散計測（ＤＯＴ：Ｄｉｆｆｕｓｅ  Ｏｐｔｉｃａｌ  Ｔｏｍｏｇｒａｐｈｙ）や光音響効果を用いた光音響計測（ＰＡＴ：Ｐｈｏｔｏ  Ａｃｏｕｓｔｉｃ  Ｔｏｍｏｇｒａｐｈｙ）等が挙げられる。
ＰＡＴでは、光源から発生したパルス光を生体に照射し、生体内で伝播・拡散したパルス光のエネルギーを吸収した生体組織から発生した音響波を検出する。すなわち、腫瘍などの被検部位とそれ以外の組織との光エネルギーの吸収率の差を利用し、被検部位が照射された光エネルギーを吸収して瞬間的に膨張する際に発生する弾性波をトランスデューサで受信する。この検出信号を解析処理することにより、生体内の光学特性分布、特に、光エネルギー吸収密度分布を得ることができる。超音波は光と比較すると生体中での直進性が高いため、超音波検出を行う光音響計測装置は高い空間解像度を有する。
【０００４】
光音響効果を用いた生体情報イメージング装置として、特許文献１のような装置が提案されている。
この特許文献１の装置では、集光機能を有するレンズを利用して生体中の所望の領域に集光させ、光エネルギーを効率的に利用して光音響信号を検出するように構成されている。
【先行技術文献】
【特許文献】
【０００５】
【特許文献１】米国特許出願公開第２００６／０１８４０４２号明細書
【発明の概要】
【発明が解決しようとする課題】
【０００６】
上記の従来例による光音響効果を用いた生体情報イメージング装置によれば、生体内に強い光エネルギーを与えることにより強い音響波信号を取得することができる。
しかしながら、このような光音響効果による場合には、生体深部からの音響波信号は、到達する光束の光エネルギーが減衰するため信号強度が低下するという課題を有している。
そのため、深部観察のためには光源に高出力のパルス光源発生装置を用いる必要が生じるが、この光源出力には限界があり、更に高価格となる。また、高出力になるにつれて出力不安定性等の問題も生じる。
したがって、深部観察能を高めるためには、より効果的に光エネルギーを利用することが望まれる。
【０００７】
このような効果的な光エネルギーの利用の一つとして、生体内の拡散作用によって生体外に放出される光束である後方散乱光を再利用することにより、光エネルギーの利用効率の向上が期待できる。
すなわち、生体内に照射された光束は生体内の強い拡散作用により直進性を失い、後方散乱により光束の一部は照射領域及びその近傍から生体外へと放射される。この放出される光束を再利用することにより、信号強度の向上が期待できる。一方、特許文献１に記載の手法は、上記したように集光機能を有するレンズにより生体中の所望の領域に集光させるものである。
このような手法によれば、光束を生体に直接照射して光エネルギーの利用効率を向上させることはできるが、上記した後方散乱光の再利用するために有効に機能させることはできない。
【０００８】  本発明は、上記課題に鑑み、被検体に照射光を照射した際に、被検体内での拡散作用により被検体外に放出される光束を再利用することができ、照射光の利用効率を向上させることが可能となる被検体情報取得装置を提供することを目的とするものである。
【課題を解決するための手段】
【０００９】
本発明は、つぎのように構成した被検体情報取得装置を提供するものである。
本発明の被検体情報取得装置は、被検体に光束を照射する光源と、前記被検体への前記光束の照射に基づいて出力される信号を検出する検出器と、を有する被検体情報取得装置であって、
前記光源からの光束に含まれる互いに異なる一方と他方の偏光成分のうちの前記一方の偏光成分を透過させ、
前記被検体への前記光源からの前記光束の照射によって前記被検体から外部に放出される光束の前記一方の偏光成分と異なる前記他方の偏光成分を反射する反射型偏光素子を備え、
前記反射型偏光素子は、前記他方の偏光成分を反射して前記被検体を再照射する前記被検体の表面における前記光束の照射領域に対向する位置で、
前記照射領域を覆うように配置されていることを特徴とする。
【発明の効果】
【００１０】  本発明によれば、被検体に照射光を照射した際に、被検体から外部に放出される光束を反射型偏光素子により反射させ、再度被検体へ射出することによって被検体外に放出される光束を再利用することができ、照射光の利用効率を向上させることが可能となる。
【図面の簡単な説明】
【００１１】
【図１】後方散乱されて放出される光分布を確認するための後方散乱分布測定モデル。
【図２】本発明の実施例１における反射型偏光素子を備えた生体情報取得装置の構成例の断面図。
【図３】本発明の実施例２における照射領域の大きさと反射部材の大きさの関係を示す上面図。
【図４】本発明の実施例３における反射型偏光素子を備えた生体情報取得装置の構成例の断面図。
【図５】本発明の実施例４における反射型偏光素子を備えた生体情報取得装置の構成例の断面図。
【図６】本発明の実施例５における反射型偏光素子を備えた生体情報取得装置の構成例の断面図。
【図７】本発明の実施例６における反射型偏光素子を備えた生体情報取得装置の構成例の断面図。
【発明を実施するための形態】
【００１２】
本発明の実施形態における生体情報取得装置について説明する。
本実施形態の生体情報取得装置は、被検体である生体に光束を照射する光源と、該光源による光束の生体への照射に基づいて出力される信号を検出する検出器と、該生体から外部に放出される光束を反射する反射型偏光素子と、を備える。
そして、上記検出器により得られる信号を処理することによって、様々な生体情報を計測することができる。
その際、上記反射型偏光素子によって、生体に照射光を照射した際に、生体から外部に放出される光束を反射部材により反射させ、再度生体へ射出することによって照射光の利用効率を向上させる。
ここで用いられる検出器としては、超音波検出器を用いて音響波信号を検出する光音響計測や、光検出器を用い、超音波信号を生体に照射することで得られる変調光信号を検出する超音波光変調信号計測などが挙げられる。
「光束の生体への照射に基づいて出力される信号」としての、パルス光を照射することにより被検体内部の局所領域から生じる音響波を検出する音響波検出器を備えれば、ＰＡＴ計測が可能である。一方、「光束の生体への照射に基づいて出力される信号」として、生体内を伝播・拡散した微弱光あるいは超音波で変調された変調光を検出する光検出器を備えれば、ＤＯＴ計測やＡＯＴ計測などが可能である。
ＤＯＴは、光源から生体に光を照射して、生体内を伝播・拡散した微弱光を高感度な光検出器により検知し、その検知信号から生体内の光学特性値分布をイメージングする技術である。
音響光学トモグラフィ（ＡＯＴ：Ａｃｏｕｓｔｏ−Ｏｐｔｉｃａｌ  Ｔｏｍｏｇｒａｐｈｙ）では、生体組織内部に光を照射すると共に局所領域に集束した超音波を照射し、超音波によって光が変調される効果（音響光学効果）を利用し、変調光を光検出器で検出する。
また、光エネルギーの吸収に応じた生体組織のＸ線位相変化を検出することも可能である。
ここでは、主に音響波検出器を用いた光音響計測に関して説明するが、光エネルギーの効率的な利用を要求される各種生体情報取得装置への適用も可能である。
【００１３】
光音響計測装置には、光源として主にパルスレーザーが利用される。
光源にレーザーを用いる場合、生体表面に許容される単位面積当たりの照射エネルギーである最大許容露光量（Ｍａｘｉｍｕｍ  ｐｅｒｍｉｓｓｉｂｌｅ  ｅｘｐｏｓｕｒｅ；ＭＰＥ）が、レーザー取扱い上の国際規約として規定されている。
一方、強い光エネルギーを生体に照射するほど強い音響波信号を取得することが可能である。故に、許容される放射露光量を広い範囲に照明し、多くの光エネルギーを照射することが好ましい。
【００１４】
生体に照射された光束は生体内部の細胞組織等により強く拡散されて直進性を失い、一部後方散乱されて生体外部に放出される。
生体同等の光学特性からなる一様な拡散体に光束を照射した場合、生体における拡散作用のため後方散乱した多くの光束が、生体外部に放出される。
これらを、図１に示すようなモデルを用いて、光線追跡手法であるモンテカルロシミュレーションにより放出される拡散光分布を確認した。
φ５ｍｍの光源１０１から発光される光束１０２を、生体同等の光学定数を有する一様な拡散体１０３に斜入射させ、照射領域前面に配置した検出面１０４にて光拡散分布を観測した。
放出した光束は、入射角度に関わらず照射領域直上に強い光量分布もち、一定の広がり角度を有して検出面を照射する。即ち、一度生体に入射した光束は生体内部で拡散されるため、照射領域以上の範囲から、垂直方向を中心に広がって適当な角度で生体外に放出される。
以降の説明では、このように生体外に放出される拡散光を、放出拡散光と記す。
【００１５】
放出拡散光を生体内部に再照明するためには、ミラーによる反射部材を用いることもできるが、本発明ではつぎのような利点を有することから反射型偏光素子を用いた。
反射型偏光素子を用いることにより、上記放出拡散光における上記反射型偏光素子と異なる直線偏光成分を選択的に反射させて再照明することが可能となる。
反射型偏光素子がｓ偏光成分を反射する場合は、放出拡散光のｓ偏光成分を反射して生体を再照明する。
反射型偏光素子はミラー等の反射部材と異なり、反射機能は放出拡散光の偏光状態に依存する。
また、反射型偏光素子は、ミラーのような一般的な反射部材では不可能な位置に配置することが可能である。
反射型偏光素子は同じ直線偏光成分を有する光束を損失なく透過させるため、生体表面の照射領域に接触した配置を含む光束の伝搬経路上に反射型偏光素子を配置することが可能である。すなわち、光源から照射される光の偏光を、反射型偏光素子が透過する光の偏光と一致させておけば、偏光素子の配置場所の自由度を高くすることができる。
反射型偏光素子の接触配置では、最初に光束が照射された照射領域に放出拡散光を効率的に再照明することを意味する。
上記したように、放出拡散光は広がりを持って生体表面から生体外部へ放出されることから、ミラーを用いる場合は放出拡散光の光束全てを受けるためにはサイズや配置の工夫が必要である。
また、反射型偏光素子を利用する場合は拡散方向に依存せずに所望の領域に必要な光量を効果的に照明することが可能である。
また、生体表面に光束を略垂直（生体表面が完全な平面ではないため、本明細書では垂直と記述せずに略垂直とする）に照明することが容易である点も、ミラーなどの反射部材にはない反射型偏光素子を利用した場合の利点である。
光束を略垂直に照射することにより、斜入射の場合よりも強い光エネルギーを生体深部に与えることが可能であり、略垂直入射は効果的である。
一方、反射型偏光素子の欠点は、同方向の偏光成分は反射せずに素子を透過し再利用できない点である。反射型偏光素子を透過する偏光成分を有する光を生体に照射した場合、生体内で散乱を繰り返した光線は指向性を失うため、後方散乱光の一部は反射型偏光素子を透過しない。しかし、詳細は後述するがそのような光が全てではない。
これらの点で、ミラー等の一般的な反射部材を利用する場合と比較して有効性が低い場合がある。
しかしながら、後述するように反射型偏光素子とミラーは併用することが可能であり、より効果的に放出拡散光を生体へ再照明することができる。
【００１６】
反射型偏光素子のサイズは、放出拡散光の伝搬領域を覆うように配置することが好ましい。
生体に接触配置する場合は、放出拡散光が放出する領域全面を覆うように照射領域同等若しくはそれ以上の大きさであることが好ましい。
また、非接触配置する場合は、照射領域の法線方向上方の生体近傍に配置し接触配置よりも更に大きなサイズであることが好ましい。
しかしながら、光源からの発光する光束の伝搬経路以外の場所には、反射型偏光素子よりもミラーのような反射部材を配置する方がより効果的である。
【００１７】
ここで偏光特性に関して簡単に説明する。
本発明では光束の偏光特性を利用しているが、偏光状態とは、通過光束の電場ベクトル軌跡の形状により、直線偏光、円偏光及び楕円偏光に分類される。
白熱光のような無偏光の光は、直線偏光、円偏光及び楕円偏光の全偏光状態の光が重なったものである。
一方、レーザー光のランダム偏光とは、偏光面が互いに直交し、各々の偏光成分出力は時間的にランダムに変わる２つの直線偏光の平行ビームが重なりあったビームである。
生体情報を取得する光音響計測装置には強い光エネルギーが必要であり、光源として主にフラッシュランプ励起パルスレーザーが用いられる。
このようなパルスレーザーでは射出するレーザー光の偏光状態は偏光面が一定の直線偏光である。
故に、本発明は光源の偏光成分と同方向の偏光成分を透過させるように反射型偏光素子を配置し、光束の光エネルギーを損失無く生体へ照明できる点が特徴である。
【００１８】
反射型偏光素子は、半波長分の厚みの誘電体薄膜を積層して構成される。
光源と偏光素子の偏光成分が同方向の場合は反射損失なく透過するが、他方の偏光成分は反射する。
偏光特性を利用した偏光ビームスプリッターはこのような原理を用いており、一方のプリズムの斜辺面に半波長分の厚みの誘電体薄膜を多層積層コーティングしている。
また、ガラス等の基板上に細い金属線を規則正しく平行に並べたワイヤーグリッド偏光素子を用いることもできる。
ｐ偏光成分とｓ偏光成分を含む入射光は、アルミ線網からなるワイヤーグリッド面での複屈折作用によりｐ偏光とｓ偏光に分割される。
入射光がワイヤーグリッド面にあたりｐ偏光成分は誘電体部分に入り透過するがｓ偏光成分は反射される。
【００１９】
生体組織の偏光特性に依存した光音響効果に関する研究が、Ｄａｎｉｅｌ  ＲａｚａｎｓｋｙらによりＯＰＴＩＣＳ  ＬＥＴＴＥＳ  Ｖｏｌ．３３，  Ｎｏ．２０  Ｐ．２３０８−２３１０  に「Ｐｏｌａｒｉｚａｔｉｏｎ−ｓｅｎｓｉｔｉｖｅ  ｏｐｔｏａｃｏｕｓｔｉｃ  ｔｏｍｏｇｒａｐｈｙ  ｏｆ  ｏｐｔｉｃａｌｌｙ  ｄｉｆｆｕｓｅ  ｔｉｓｓｕｅｓ」という表題で報告されている。
ここでは、放出拡散光を再照明する概念はなく、擬似生体内部に配置した偏光部材から発生する光音響信号強度を、生体へ照射する光束の偏光状態に応じて定量的に評価することを目的としている。
この研究では光束の偏光状態を制御するために偏光素子を利用しているが、偏光素子の特長に関する記述はない。
仮に、反射型偏光素子を偏光制御部材に利用した場合は、放出散乱光の反射により実験の定量性が損なわれるが、実験結果には放出散乱光の影響が現われていない。故に、本発明との関連性はないと言える。
しかしながら、この研究では擬似生体である拡散媒体に照射した光束の偏光状態は、ある程度生体内部でも維持されることを示している。
入射方向に対して逆方向に進行する放出拡散光の偏光状態は正確には分らないが、放出拡散光に入射光の偏光状態の一部が維持されることが推定される。
例えば、ｐ偏光の光束が反射型偏光素子を透過して生体表面に照射した場合、ｐ偏光状態が維持された放出拡散光は偏光素子で反射されずに透過するため非効率である。
このような場合、生体と反射型偏光素子間にλ／４波長板を挿入することにより効率の向上を図ることができる。
一般的に、偏光素子を通過した光束のｐ偏光状態はλ／４波長板により円偏光となり、この光束が正反射した場合、再びλ／４波長板を通過する事により偏光状態は円偏光からｓ偏光の直線偏光に変換される。
ここで、正反射した光束ではなくｐ偏光成分の影響が残った擬似円偏光を有する放出拡散光がλ／４波長板を再通過する場合は、光束の偏光状態はｓ偏光成分の影響が残った擬似直線偏光となる。故に、放出拡散光が反射型偏光素子で効率的に反射されることになる。
放出拡散光の偏光状態に応じてλ／４波長板を利用することにより、反射型偏光素子で反射する光量を増加させることができる。
【００２０】
光音響効果を用いた生体情報計測装置では、被検体である生体に対して超音波検出器と照明位置を変えた配置の計測装置が提案されている。
すなわち、生体に対して超音波検出器と照明位置を対向させる場合や、超音波検出器と照明領域を同側に置く場合等がある。
特に後者の同側配置の場合、生体近傍に配置する超音波検出器前面の生体表面に、光束を照射することが好ましい。
このような配置とする場合、放出拡散光は超音波検出器前面に向かって進行するため、反射型偏光素子を超音波検出器と照射面の間に配置することが好ましい。ここで、反射型偏光素子に要求される新たな必要条件として、音響波信号に対する透過性が挙げられる。
【００２１】
音響波を透過する反射型偏光素子とは、透過する音響波の減衰が非常に少ない部材である。
これらは、音響波減衰率の少ない材料、若しくは音響波減衰しやすい材料でも音響波の波長に対して十分薄い部材で構成することにより、音響波に対する透過性を確保することができる。
反射型偏光素子は、基板材料に波長の１／２程度の誘電体膜を数ｕｍ多層コーティングした薄膜を利用しているため、音響波透過性を維持する事ができる。
また、基板材料をポリメチルペンテン等の音響波透過性が比較的良好な部材を用いることにより音響波の減衰を最小限とすることができる。
超音波検出を行う際は、生体組織と超音波検出器の間の音響整合材料を備えおり、反射型偏光素子は音響波整合材と接して配置している。
ここで、生体組織の音響インピーダンスは水の音響インピーダンスに近い値であり、１．５ｘ１０6 ｋｇ・ｍ-2・ｓであり、音速ではおよそ１５００ｍ・ｓ-1  となる。
【００２２】
本実施形態で用いる超音波検出器の周波数は１〜５０ＭＨｚ程度であり、１波長の長さに換算すると１．５ｍｍ〜３０ｕｍ程度となる。
反射型偏光素子の膜圧を十分薄くすることで素子材料に依存せずに音響波の透過性を高めることが可能である。仮に周波数５ＭＨｚの音響波信号を考慮すると、１波長はおよそ３００ｕｍである。１０ｕｍ程度の膜圧の反射型偏光素子は、波長に対して１／３０となり十分な透過性を有する。検出信号として十分な強度が得られる膜圧の反射型偏光素子を用いることが可能である。
【００２３】
ここまで、放出拡散光を再照明するために、反射型偏光素子を用いた実施形態を詳述した。
一方、反射型偏光素子とミラーのような一般的な反射部材を併用することにより一層効果的に放出拡散光を利用することができる。
光束伝搬経路に配置することができる反射型偏光子の特徴と、偏光状態に依存せずに全ての光束を反射できる反射部材の特徴は両立することが可能である。
例えば、生体表面の光束伝搬経路（照射領域）に反射型偏光素子を配置し、それを取り囲むように反射部材を配置することは好ましい形態である。
【実施例】
【００２４】
以下に、本発明の実施例について説明する。
［実施例１］
図２を用いて、本発明の実施例１における反射型偏光素子を備えた生体情報取得装置の構成例について説明する。
光源２０１から放射される光束２０２が生体を模倣したファントム２０５を照射する。
ここで、光束２０２はファントム表面に対して略垂直に照射される。光束２０２の伝搬経路に反射型偏光素子２０３を配置し、反射型偏光素子２０３を介してファントム表面を照射する。
ここでは、反射型偏光素子２０３にワイヤーグリッド偏光素子を用いた。光束の偏光状態はｐ偏光成分の直線偏光であり、光束２０２は光エネルギー損失することなく反射型偏光素子２０３を通過する。
すなわち、反射型偏光素子を通過する光束のｐ偏光成分が透過し、ｓ偏光成分は反射する。
光束２０２がファントム表面を照射する照射領域２０４に対して反射型偏光素子２０３の方が大きい。
光源２０１には波長５３２ｎｍのＮｄ：ＹＡＧレーザーの第二高調波を用いた。ファントム２０５は均一な拡散係数となるように水で薄めた１０％イントラリピッド溶液を用いた。
イントラリピッド溶液内部に照射面から２ｃｍの位置に球状吸収体２０６を配置し、対向側に配置した超音波検出器２０７により光音響波信号を測定した。
反射型偏光素子がない場合と比較して、上記反射型偏光素子２０３を配置した場合は、光照射量が増加し光音響信号が増大した。
【００２５】
［実施例２］
図３を用いて、本発明の実施例２における反射型偏光素子を備えた生体情報取得装置の構成例について説明する。
図３において、３０１は光源、３０２は光束、３０３は反射型偏光素子、３０４は照明領域、３０５は被検体（ファントム）、３０６は吸収体、３０７は超音波検出器、３０８はλ／４波長板である。
本実施例において、ファントム３０５と反射型偏光素子３０３の間にλ／４波長板３０８を挿入するようにした以外の構成は、基本的に実施例１の構成と同様である。
反射型偏光素子３０３及びλ／４波長板３０８を用いない場合と比較して、実施例２の上記構成の場合は光音響信号強度が大きくなり、光照射量が増加し光音響信号が増大した。
【００２６】
［実施例３］
図４を用いて、本発明の実施例３における反射型偏光素子を備えた生体情報取得装置の構成例について説明する。
図４において、４０１は光源、４０２は光束、４０３は反射型偏光素子、４０４は照明領域、４０５は被検体（ファントム）、４０６は吸収体、４０７は超音波検出器である。
本実施例において、反射型偏光素子４０３がファントム４０５に接触して配置するようにした以外の構成は、基本的に実施例１の構成と同様である。
実施例１と同様にして光音響信号検出を行なうと、反射型偏光素子がない場合と比較して光照射量が増加し光音響信号が増大した。
また、反射型偏光素子４０３の大きさを変えて測定を行なった所、照射領域４０４の大きさと同等若しくは若干大きなサイズにて信号強度向上が顕著となる。
特に、実施例１のように反射型偏光素子をファントム表面に接触させない配置と比較して、照射領域への光量を効果的に増加させることができる。
【００２７】
［実施例４］
図５を用いて、本発明の実施例４における反射型偏光素子を備えた生体情報取得装置の構成例について説明する。
図５において、５０１は光源、５０２は光束、５０３は反射型偏光素子、５０４は照明領域、５０５は被検体（生体）、５０６はスタンドオフ（音響整合部材）、５０７は超音波検出器、５０８は吸収体である。
本実施例では、ファントム５０５に対して超音波検出器５０７と光源５０１を同側に配置した。
また、反射型偏光素子５０３を超音波検出器５０７の前面に配置した。
このような配置の場合、反射型偏光素子には、光束は反射し音響波は透過する性質が必要である。
ここでは、反射型偏光素子は超音波減衰が比較的小さなポリメチルペンテン樹脂フィルム上に誘電体積層膜をコーティングしたものを用いた。
コーティングの積層数を２０層とし、層厚は〜５ｕｍである。
また、光束５０２を超音波検出器５０７の背後にある被検体５０５に照射するため、音響整合材料５０６からなるスタンドオフを設けた。
光源５０１には波長５３２ｎｍのＮｄ：ＹＡＧレーザーの第二高調波を用いた。ファントム５０５は均一な拡散係数となるように水で薄めた１０％イントラリピッド溶液を用いた。
イントラリピッド溶液内部に照射面から２ｃｍの位置に球状吸収体５０８を配置した。
反射型偏光素子がない場合と比較して音響波信号が増大し、反射部材を配置することによる光照射量増大効果が見られた。
【００２８】
［実施例５］
図６を用いて、本発明の実施例５における反射型偏光素子を備えた生体情報取得装置の構成例について説明する。
図６において、６０１は光源、６０２は光束、６０３は反射型偏光素子、６０４は照明領域、６０５は被検体（生体）、６０６はスタンドオフ（音響整合部材）、６０７は超音波検出器、６０８は吸収体、６０９は反射部材、６１０は反射膜である。
本実施例において、光束６０２の伝搬経路以外の場所に、反射型偏光素子６０３の周囲を取り囲んだＡｌからなる反射部材６０９を配置した以外の構成は、基本的に実施例４の構成と同様である。
ここで、反射型偏光素子６０３は光束伝搬経路にのみ配置するように可能限り小さくしている。
また、超音波検出器６０７の前面に薄い樹脂フィルム上に５ｕｍ厚のＡｌを蒸着した反射膜９１０を用意した。
実施例４と比較すると、音響波信号強度は更に増大し、反射型偏光素子と反射部材を併用することによる顕著な効果がみられた。
【００２９】
［実施例６］
図７を用いて、本発明の実施例６における反射型偏光素子を備えた生体情報取得装置の構成例について説明する。
図７において、７０１は光源、７０２は光束、７０３は反射型偏光素子、７０４は照明領域、７０５は被検体（ファントム）、７０６は吸収体、７０７は超音波検出器、７０８は反射部材、７０９は球面凸レンズである。
本実施例において、光束７０２の伝搬経路を遮蔽しないように中央部に穴のあいた反射部材７０８を用意した以外の構成は、基本的に実施例１の構成と同様である。
また、光束７０２は球面凸レンズ７０９を用いて反射部材７０８の穴の部分で一度集光し、反射型偏光素子７０３を通過してファントム７０５を照射する。
ここでは、反射型偏光素子７０３は、光束伝搬経路と同サイズにするように可能な限り小さくしている。
実施例１と比較して本実施例６では、音響波信号強度は更に増大する。
反射型偏光素子は設置位置の制約無く放出散乱光のｓ偏光成分を反射させ、透過したｐ偏光成分を反射部材７０８で反射させることで、光エネルギーの利用効率を高めている。
【符号の説明】
【００３０】
２０１：光源
２０２：光束
２０３：反射型偏光素子
２０４：照明領域
２０５：被検体（ファントム）
２０６：吸収体
２０７：音響波検出器
【図１】
0005495718.tif 000002
【図２】
0005495718.tif 000003
【図３】
0005495718.tif 000004
【図４】
0005495718.tif 000005
【図５】
0005495718.tif 000006
【図６】
0005495718.tif 000007
【図７】
0005495718.tif 000008